(57)【要約】      （修正有）【課題】吹出す気流による不快感を解消するとともに、家具の配置や吸気口の配置にも制限を与えない換気システムの吹出口ユニットを提供する。【解決手段】居室の天井に設けられる吹出口ユニット１であって、通気ダクトから居室内に新鮮空気を導入するための導入管２と、導入管２の居室側開口３を覆うとともに居室内に新鮮空気を吹出す吹出開口４が設けられた吹出口カバー５とを備え、吹出口カバー５には、導入管２の居室側開口３に対応する凹部が形成されるとともに、上記凹部の側面に新鮮空気を居室の天井面に略沿って吹出すよう吹出開口４が形成され、導入管２の居室側開口３には吹出口カバー５が取り付けられるフランジ部６が形成され、吹出口カバー５が導入管２のフランジ部６に対してスライド回動自在に取り付けられている。【選択図】図１
0003120278.tif 000002
【実用新案登録請求の範囲】
【請求項１】
居室の天井に設けられる吹出口ユニットであって、
通気ダクトから居室内に新鮮空気を導入するための導入管と、上記導入管の居室側開口を覆うとともに居室内に新鮮空気を吹出す吹出開口が設けられた吹出口カバーとを備え、
上記吹出口カバーには、上記導入管の居室側開口に対応するよう凹部が形成されるとともに、上記凹部の側面に新鮮空気を居室の天井面に略沿って吹出すよう上記吹出開口が形成され、
導入管の居室側開口には上記吹出口カバーが取り付けられるフランジ部が形成され、上記吹出口カバーが導入管のフランジ部に対してスライド回動自在に取り付けられていることを特徴とする吹出口ユニット。
【請求項２】
上記導入管のフランジ部に吹出口カバーが取り付けられた状態で、上記吹出口カバーの凹部の上側は導入管の居室側開口に向かって開放されており、上記凹部の側面を開口して形成した吹出開口には吹出す空気流の上下を規制する流路壁が存在せず、上記凹部内に導入した新鮮空気を天井面と略平行な凹部の底面に当てることにより天井面に沿って吹出すように構成した請求項１記載の吹出口ユニット。
【請求項３】
上記吹出口カバーの凹部周辺には、上記フランジ部の外周とスライド自在に嵌合して吹出口カバーをフランジ部に対して取り付けるための複数の取付リブが相互に対面するよう立設され、上記取付リブ同士の間に、上記フランジ部の外周に対して擦接してフランジ部に対する吹出口カバーのスライドをガイドする複数のガイドリブが相互に対面するよう立設されている請求項１または２記載の吹出口ユニット。
【請求項４】
上記吹出口カバーの凹部周辺には、上記凹部を覆って導入管から居室内に吹出される新鮮空気を浄化するフィルタを位置決めする位置決めリブが立設されている請求項３記載の吹出口ユニット。
【請求項５】
上記位置決めリブは取付リブとガイドリブの間に設けられ、上記取付リブ、ガイドリブおよび位置決めリブで環状リブが構成されている請求項４記載の吹出口ユニット。
【請求項６】
上記吹出口カバーの上記環状リブのさらに外側には、空気漏れ防止用のカバー壁が設けられている請求項５記載の吹出口ユニット。
【請求項７】
上記吹出口カバーには、上記凹部内に、導入管の居室側開口から導入された新鮮空気を吹出開口に向かって整流する整流板が、上記吹出開口の開口幅の両側にそれぞれ立設されている請求項１〜６のいずれか一項に記載の吹出口ユニット。
【請求項８】
上記整流板は、上記凹部を覆って導入管から居室内に吹出される新鮮空気を浄化するフィルタを支持する支持部材を兼ねている請求項７記載の吹出口ユニット。
【請求項９】
取付リブに形成された係止爪の後には、取付リブの過大変形を防止する変形防止リブが形成されている請求項３〜８のいずれか一項に記載の吹出口ユニット。
【考案の詳細な説明】
【技術分野】
【０００１】
本考案は、屋内の汚染空気を屋外に排出するとともに、屋外の新鮮な空気を屋内に取り入れる換気システムにおける吹出口に関し、詳しくは、吹出す気流による不快感を解消するとともに、家具の配置にも制限を与えない換気システムの吹出口ユニットに関するものである。
【背景技術】
【０００２】
建物における第１種換気は、屋内の汚染空気を屋外へ排出し、屋外の新鮮空気を屋内に導入する方式の換気である。
【０００３】
図９（Ａ）に示すように、上記第１種換気では、各居室１００で発生した汚染空気は、その居室１００のドアに設けたアンダーカット１０２やガラリから通気して廊下等の非居室１０１の天井に設けられた排気用の吸込口１０３から吸い込まれ、通気ダクト１０４ａを通って屋外へ排出される。一方、屋外からは外壁等に設けられた吸気口から外気を吸気し、通気ダクト１０４ｂを通って居室１００の天井のアンダーカット１０２から遠いところに設けられた吹出口１０５から新鮮空気を床面方向に吹出すことが行われている。
【０００４】
一方、図９（Ｂ）に示すように、通気ダクト１０４ｂの長さを短縮してコストダウンを図る換気システムとして、吹出口１０５を居室１００の天井のアンダーカット１０２に近いところに設け、アンダーカット１０２から遠い側の壁に向かって新鮮空気を吹出すシステムが開示されている（下記の特許文献１）。
【特許文献１】特開２００５−２５７０９０号公報
【考案の開示】
【考案が解決しようとする課題】
【０００５】
ところが、図９（Ａ）の換気システムでは、給気用の吹出口１０５を設置する場所にベッドや学習机を配置した場合、吹出口１０５から吹出される気流が人体に直接あたり、不快感を生じるという問題がある。特に外気温度が低下する冬季などには、供給される新鮮空気が非常に冷たく感じ、寒さを覚えて一層不快感を助長する。このため、吹出口１０５が吹出す気流の向きによって、家具の配置に制限を与えてしまうという問題があった。
【０００６】
一方、図９（Ｂ）の換気システムでも、給気用の吹出口１０５から吹出す気流があたる壁際にベッドや学習机を配置した場合、やはり気流が人体に直接あたることとなり、不快感は完全には解消されず、家具の配置に制限を与える問題も解消されなかった。特に机やベッドは壁際に配置されることが多いことから、家具の配置への制限は一層助長される結果となることもあった。しかも、吹出口１０５は、居室１００の天井のアンダーカット１０２に近いところに設けなければ、居室１００全体の換気ができないため、吹出口１０５の配置場所の制限が加わることとなり、設計への制約が発生するという新たな問題を生じていた。
【０００７】
本考案は、上記のような事情に鑑みなされたもので、吹出す気流による不快感を解消するとともに、家具の配置にも制限を与えず、吹出口の配置の制約も生じない換気システムの吹出口ユニットの提供をその目的とする。
【課題を解決するための手段】
【０００８】
上記目的を達成するため、本考案の吹出口ユニットは、居室の天井に設けられる吹出口ユニットであって、通気ダクトから居室内に新鮮空気を導入するための導入管と、上記導入管の居室側開口を覆うとともに居室内に新鮮空気を吹出す吹出開口が設けられた吹出口カバーとを備え、上記吹出口カバーには、上記導入管の居室側開口に対応するよう凹部が形成されるとともに、上記凹部の側面に新鮮空気を居室の天井面に略沿って吹出すよう上記吹出開口が形成され、導入管の居室側開口には上記吹出口カバーが取り付けられるフランジ部が形成され、上記吹出口カバーが導入管のフランジ部に対してスライド回動自在に取り付けられていることを要旨とする。
【考案の効果】
【０００９】
すなわち、本考案は、上記吹出口カバーには新鮮空気を居室の天井面に略沿って吹出す吹出開口が形成され、上記吹出口カバーが導入管のフランジ部に対してスライド回動自在に取り付けられている。このため、吹出開口は、居室の周囲壁面の方向に吹出すことで、人体に直接気流があたることを避けることができ、空気流による不快感を解消することができる。また、吹出口カバーを回動させることで平面視で３６０°吹出開口による吹出し方向の調節が可能となるため、家具の配置の際に気流を気にする必要がなくなり、家具を自由に設置することが可能になる。さらに、入居中の模様替えなどで家具の配置を変えた場合でも、その配置に併せて人体に直接気流があたらないように吹出開口の吹出し方向を変えて調節することができる。しかも、吹出開口の吹出し方向を自在に変更できるため、吹出口の配置場所の制限が加わることもなく、設計への制約も発生しない。
【００１０】
本発明において、導入管のフランジ部に吹出口カバーが取り付けられた状態で、上記吹出口カバーの凹部の上側は導入管の居室側開口に向かって開放されており、上記凹部の側面を開口して形成した吹出開口には吹出す空気流の上下を規制する流路壁が存在せず、上記凹部内に導入した新鮮空気を天井面と略平行な凹部の底面に当てることにより天井面に沿って吹出すように構成した場合には、導入管の居室側開口をカバーする吹出口カバーというカバー部材だけという極めて簡素な構造で新鮮空気の噴出し方向を制御できる。
【００１１】
本考案において、上記吹出口カバーの凹部周辺には、上記フランジ部の外周とスライド自在に嵌合して吹出口カバーをフランジ部に対して取り付けるための複数の取付リブが相互に対面するよう立設され、上記取付リブ同士の間に、上記フランジ部の外周に対して擦接してフランジ部に対する吹出口カバーのスライドをガイドする複数のガイドリブが相互に対面するよう立設されている場合には、相互に対面した複数の取付リブにより導入管のフランジ部に対して吹出口カバーが安定的に取り付けられるとともに、相互に対面した複数のガイドリブにより導入管のフランジ部に対して吹出口カバーが安定的にガイドされる。したがって、吹出口カバーの回動操作は、椅子や脚立の上で天井に向かって手を伸ばした不安定な姿勢で行われることが多いが、そのようなときでも安定して回動動作が行われ、誤って吹出口カバーを取り落とすようなこともなく安全である。
【００１２】
本考案において、上記吹出口カバーの凹部周辺には、上記凹部を覆って導入管から居室内に吹出される新鮮空気を浄化するフィルタを位置決めする位置決めリブが立設されている場合には、主として屋外の外気が導入された新鮮空気を、居室内に吹出す直前の吹出口カバーに設けたフィルタで浄化することができるため、吹出口ユニットの導入管に至るまでの通気ダクト内が塵埃等で汚染されていたとしても、通気ダクト内の塵埃は吹出口ユニットのフィルタで確実に捕捉でき、居室内に導入する新鮮空気を確実に浄化できる。
【００１３】
本考案において、上記位置決めリブは取付リブとガイドリブの間に設けられ、上記取付リブ、ガイドリブおよび位置決めリブで環状リブが構成されている場合には、吹出口カバーの凹部周辺が環状リブで囲われることになることから、導入管から吹出口カバーの凹部内に導入された新鮮空気は、上記環状リブにより吹出開口以外の周辺に漏れ難くなる。したがって、天井面の吹出口カバーが取り付けられた周辺の空気漏れに起因する汚れ等が防止される。
【００１４】
本考案において、上記吹出口カバーの上記環状リブのさらに外側には、空気漏れ防止用のカバー壁が設けられている場合には、導入管から吹出口カバーの凹部内に導入された新鮮空気は、上記環状リブとカバー壁との二重の防護により、吹出開口以外の周辺への漏れが一層防止される。したがって、天井面の吹出口カバーが取り付けられた周辺の空気漏れに起因する汚れ等が一層防止される。
【００１５】
本考案において、上記吹出口カバーには、上記凹部内に、導入管の居室側開口から導入された新鮮空気を吹出開口に向かって整流する整流板が、上記吹出開口の開口幅の両側にそれぞれ立設されている場合には、導入管から吹出口カバーの凹部内に導入された新鮮空気が整流板によって確実に吹出開口に向かって整流され、吹出開口以外の周辺への漏れが一層防止される。したがって、天井面の吹出口カバーが取り付けられた周辺の空気漏れに起因する汚れ等が一層防止される。
【００１６】
本考案において、上記整流板は、上記凹部を覆って導入管から居室内に吹出される新鮮空気を浄化するフィルタを支持する支持部材を兼ねている場合には、上記整流板で整流されて吹出開口から吹出される新鮮空気を確実にフィルタで浄化できる。また、上記整流板がフィルタの支持部材を兼ねることにより、吹出口カバーの構造が簡素化する。
【００１７】
本考案において、取付リブに形成された係止爪の後には、取付リブの過大変形を防止する変形防止リブが形成されている場合には、吹出口カバーの着脱を繰り返すことによる取付リブの過大変形を防止することができる。
【考案を実施するための最良の形態】
【００１８】
つぎに、本考案を実施するための最良の形態を説明する。
【００１９】
図１〜図７は、本考案が適用された吹出口ユニット１の一実施形態を示す図である。
【００２０】
図１は上記吹出口ユニット１を天井ボード５０に取り付ける状態を示す分解斜視図であり、図２は上記吹出口ユニット１の斜視図、図３は上記吹出口ユニット１の一部破断側面図である。なお、図２および図３には天井ボード５０は示しておらず、図２には後述するフィルタ１４を示していない。
【００２１】
図１および図２に示すように、この吹出口ユニット１は、天井ボード５０に取り付けられて居室５１（図８参照）の天井に設けられる吹出口ユニット１である。そして、通気ダクト５５ｂ（図８参照）から居室５１内に新鮮空気を導入するための導入管２と、上記導入管２の居室側開口３に取り付けられて居室５１内に新鮮空気を吹出す吹出開口４が設けられた吹出口カバー５とを備えて構成されている。
【００２２】
上記導入管２の居室側開口３の外周には、上記吹出口カバー５が取り付けられるフランジ部６が形成され、上記吹出口カバー５が導入管２のフランジ部６に対して３６０°スライド回動自在に取り付けられている。
【００２３】
図３に示すように、上記導入管２は、全体としてＬ字状に形成された管状体であり、一方の開口が、通気ダクト５５ｂに接続されて新鮮空気の導入を受ける室外側開口９であり、他方の開口が、室外側開口９から導入された新鮮空気を居室５１内に導入するための居室側開口３である。
【００２４】
上記導入管２の居室側開口３の外周には、上記吹出口カバー５が取り付けられるフランジ部６が形成されている。上記導入管２は、上記フランジ部６が居室側に露出し、Ｌ字状の管体部が天井裏に位置するように天井ボード５０に取り付けられる。
【００２５】
図４は、上記吹出口カバー５を示す図であり、図４（Ａ）は平面図、図４（Ｂ）はＡ−Ａ断面図、図４（Ｃ）はＢ−Ｂ断面図、図４（Ｄ）は吹出開口４側から見た図である。
【００２６】
図３〜図５に示すように、上記吹出口カバー５は、平面視でフランジ部６よりも少し大きい円形状を呈し、フランジ部６と吹出口カバー５は同心状に配置されている。上記吹出口カバー５の中央部には、上記導入管２の居室側開口３に対応するよう凹部１０が形成されるとともに、上記凹部１０の側面に新鮮空気を居室５１の天井面に略沿って吹出す吹出開口４が形成されている。
【００２７】
上記凹部１０は、吹出開口４と反対側の周辺部が、なだらかな下り傾斜状に形成され、底部から吹出開口４の開口部にいたる部分が水平の平坦状に形成されている。これにより、導入管２から凹部１０に導入された新鮮空気が吹出開口４から略天井面に沿って吹出されるようになっている。
【００２８】
上記吹出口カバー５の凹部１０周辺には、上記フランジ部６の外周とスライド自在に嵌合して吹出口カバー５をフランジ部６に対して取り付けるための複数（この例では２つ；一対）の取付リブ１１が相互に対面するよう立設されている。上記取付リブ１１は、フランジ部６の外周に沿う円弧状で、内面上部に所定距離を隔てた複数（この例では２つ；一対）の係止爪１２が突設されている。上記係止爪１２がフランジ部６の外周にパチンと嵌って係止されることにより、吹出口カバー５がフランジ部６に取り付けられる。
【００２９】
上記吹出口カバー５の凹部１０周辺には、上記取付リブ１１同士の間に、上記フランジ部６の外周に対して擦接してフランジ部６に対する吹出口カバー５のスライドをガイドする複数（この例では２つ；一対）のガイドリブ１３が相互に対面するよう立設されている。上記ガイドリブ１３は、フランジ部６の外周に沿う円弧状に形成されている。
【００３０】
上記取付リブ１１およびガイドリブ１３は、いずれもフランジ部６の外周に沿う仮想円上に形成されており、取付リブ１１の係止爪１２がフランジ部６の外周に嵌った状態で、相互に対面した取付リブ１１と同じく相互に対面したガイドリブ１３により、フランジ部６の外周を外側から遊嵌状に把持する状態になる。これにより、フランジ部６に対して吹出口カバー５が同心状にスライド回動自在に取り付けられる。
【００３１】
また、上記吹出口カバー５の凹部１０周辺には、上記凹部１０を覆って導入管２から居室５１内に吹出される新鮮空気を浄化するフィルタ１４を位置決めする位置決めリブ１５が立設されている。この例では、上記位置決めリブ１５は、上記凹部１０を覆う四角形のフィルタ１４の四隅に対応して４つ設けられており、上記フィルタ１４の角部を外側から位置決めする略鉤状に形成されている。
【００３２】
上記４つの位置決めリブ１５は、円周方向に沿って交互に配置された取付リブ１１とガイドリブ１３の間にぞれぞれ設けられ、上記取付リブ１１、ガイドリブ１３および位置決めリブ１５が環状に繋がって環状リブ１６が構成されている。
【００３３】
また、上記吹出口カバー５の上記環状リブ１６のさらに外側すなわち吹出口カバー５の最外周には、空気漏れ防止用のカバー壁１７が立設されている。
【００３４】
上記カバー壁１７の吹出開口４側およびその反対側には、吹出口カバー５を取り外す際の爪掛け用の切欠部２０が設けられている。上記切欠部２０の両サイドには、切欠部２０からの空気漏れを防止する漏れ防止壁２１が立設されている。上記漏れ防止壁２１は、取付リブ１１の係止爪１２の真後ろに形成されており、吹出口カバー５の着脱を繰り返すことによる取付リブ１１の過大変形を防止する変形防止リブとしても機能する。
【００３５】
上記吹出口カバー５には、上記凹部１０内に、導入管２の居室側開口３から導入された新鮮空気を吹出開口４に向かって整流する整流板２２が、上記吹出開口４の開口幅の両側に吹出し方向に沿うように複数（この例では２つ；一対）立設されている。
【００３６】
上記整流板２２は、上記凹部１０を覆って導入管２から居室５１内に吹出される新鮮空気を浄化するフィルタ１４を支持する支持部材を兼ねており、上端部にフィルタ１４のズレ止め用の突起２３が形成されている。なお、この例において、フィルタ１４は合成樹脂系のウレタンフォームや不織布フィルタを使用することができる。
【００３７】
図６および図７に示すように、上記吹出口ユニット１には、導入管２の居室側開口３側の管内に、軸２５を中心に回動することにより、居室に導入される新鮮空気の風量を調節可能なシャッタ２６が設けられている。上記シャッタ２６は、導入管２の両側に設けられたレバー２７により開閉しうるようになっている。
【００３８】
上記のように、導入管２のフランジ部６に吹出口カバー５が取り付けられた状態で、上記吹出口カバー５の凹部１０の流路上面には壁面がなく、凹部１０の上側は導入管２の居室側開口３に向かって開放されている。また、上記凹部１０は、側面に吹出開口４が形成され、この吹出開口４の反対側はなだらかな下り傾斜である。さらに、上記吹出開口４は、上側が導入管２の居室側開口３に向かって開放された凹部１０の側面を開口したもので、吹出す空気流の上下を規制する流路壁は存在しない。
【００３９】
そして、この吹出口ユニット１では、導入管２から、上側が導入管２の居室側開口３に向かって開放された凹部１０内に新鮮空気が導入され、上記新鮮空気は、天井面と略平行な吹出口カバー５の凹部１０の底面に当たり、上記底面に沿って流れることにより、天井面に沿って吹出されるのである。
【００４０】
このように、吹出す空気流の上下を規制する流路壁を存在させず、上側が導入管２の居室側開口３に向かって開放された凹部１０内に導入した新鮮空気を、天井面と略平行な吹出口カバー５の凹部１０の底面に当て、上記底面に沿わせて流すことにより、天井面に沿って吹出すようにしたことから、導入管２の居室側開口３をカバーする吹出口カバー５というカバー部材だけという極めて簡素な構造で新鮮空気の噴出し方向を制御できる。
【００４１】
図８に示すように、上記吹出口ユニット１は、居室５１の天井部に取り付けられる。そして、居室５１で発生した汚染空気は、その居室５１のドアに設けたアンダーカット５３等から通気して廊下等の非居室５２の天井に設けられた排気用の吸込口５４から吸い込まれ、通気ダクト５５ａを通って屋外へ排出される。一方、屋外からは外壁等に設けられた吸気口から外気を吸気し、通気ダクト５５ｂを通って居室５１の天井に設けた吹出口ユニット１から新鮮空気を吹出すことが行われる。
【００４２】
以上のように、上記吹出口ユニット１によれば、上記吹出口カバー５には新鮮空気を居室５１の天井面に略沿って吹出す吹出開口４が形成され、上記吹出口カバー５が導入管２のフランジ部６に対してスライド回動自在に取り付けられている。このため、吹出開口４は、居室５１の周囲壁面の方向に吹出すことで、人体に直接気流があたることを避けることができ、空気流による不快感を解消することができる。また、吹出口カバー５を回動させることで平面視で３６０°、吹出開口４による吹出し方向の調節が可能となるため、家具の配置の際に気流を気にする必要がなくなり、家具を自由に設置することが可能になる。さらに、入居中の模様替えなどで家具の配置を変えた場合でも、その配置に併せて人体に直接気流があたらないように吹出開口４の吹出し方向を変えて調節することができる。しかも、吹出開口４の吹出し方向を自在に変更できるため、吹出口ユニット１の配置場所の制限が加わることもなく、設計への制約も発生しない。
【００４３】
また、導入管２のフランジ部６に吹出口カバー５が取り付けられた状態で、上記吹出口カバー５の凹部１０の上側は導入管２の居室側開口３に向かって開放されており、上記凹部１０の側面を開口して形成した吹出開口４には吹出す空気流の上下を規制する流路壁が存在せず、上記凹部１０内に導入した新鮮空気を天井面と略平行な凹部１０の底面に当てることにより天井面に沿って吹出すように構成した場合には、導入管２の居室側開口３をカバーする吹出口カバー５というカバー部材だけという極めて簡素な構造で新鮮空気の噴出し方向を制御できる。
【００４４】
また、上記吹出口カバー５の凹部１０周辺には、上記フランジ部６の外周とスライド自在に嵌合して吹出口カバー５をフランジ部６に対して取り付けるための複数の取付リブ１１が相互に対面するよう立設され、上記取付リブ１１同士の間に、上記フランジ部６の外周に対して擦接してフランジ部６に対する吹出口カバー５のスライドをガイドする複数のガイドリブ１３が相互に対面するよう立設されているため、相互に対面した複数の取付リブ１１により導入管のフランジ部６に対して吹出口カバー５が安定的に取り付けられるとともに、相互に対面した複数のガイドリブ１３により導入管２のフランジ部６に対して吹出口カバー５が安定的にガイドされる。したがって、吹出口カバー５の回動操作は、椅子や脚立の上で天井に向かって手を伸ばした不安定な姿勢で行われることが多いが、そのようなときでも安定して回動動作が行われ、誤って吹出口カバー５を取り落とすようなこともなく安全である。
【００４５】
また、上記吹出口カバー５の凹部１０周辺には、上記凹部１０を覆って導入管２から居室５１内に吹出される新鮮空気を浄化するフィルタ１４を位置決めする位置決めリブ１５が立設されているため、主として屋外の外気が導入された新鮮空気を、居室５１内に吹出す直前の吹出口カバー５に設けたフィルタ１４で浄化することができるため、吹出口ユニット１の導入管２に至るまでの通気ダクト５５ｂ内が塵埃等で汚染されていたとしても、通気ダクト５５ｂ内の塵埃は吹出口ユニット１のフィルタ１４で確実に捕捉でき、居室５１内に導入する新鮮空気を確実に浄化できる。
【００４６】
また、上記位置決めリブ１５は取付リブ１１とガイドリブ１３の間に設けられ、上記取付リブ１１、ガイドリブ１３および位置決めリブ１５で環状リブ１６が構成されているため、吹出口カバー５の凹部１０周辺が環状リブ１６で囲われることになることから、導入管２から吹出口カバー５の凹部１０内に導入された新鮮空気は、上記環状リブ１６により吹出開口４以外の周辺に漏れ難くなる。したがって、天井面の吹出口カバー５が取り付けられた周辺の空気漏れに起因する汚れ等が防止される。
【００４７】
また、上記吹出口カバー５の上記環状リブ１６のさらに外側には、空気漏れ防止用のカバー壁１７が設けられているため、導入管２から吹出口カバー５の凹部１０内に導入された新鮮空気は、上記環状リブ１６とカバー壁１７との二重の防護により、吹出開口４以外の周辺への漏れが一層防止される。したがって、天井面の吹出口カバー５が取り付けられた周辺の空気漏れに起因する汚れ等が一層防止される。
【００４８】
また、上記吹出口カバー５には、上記凹部１０内に、導入管２の居室側開口３から導入された新鮮空気を吹出開口４に向かって整流する整流板２２が、上記吹出開口４の開口幅の両側にそれぞれ立設されているため、導入管２から吹出口カバー５の凹部１０内に導入された新鮮空気が整流板２２によって確実に吹出開口４に向かって整流され、吹出開口４以外の周辺への漏れが一層防止される。したがって、天井面の吹出口カバー５が取り付けられた周辺の空気漏れに起因する汚れ等が一層防止される。
【００４９】
また、上記整流板２２は、上記凹部１０を覆って導入管２から居室５１内に吹出される新鮮空気を浄化するフィルタ１４を支持する支持部材を兼ねているため、上記整流板２２で整流されて吹出開口４から吹出される新鮮空気を確実にフィルタ１４で浄化できる。また、上記整流板２２がフィルタ１４の支持部材を兼ねることにより、吹出口カバー５の構造が簡素化する。
【００５０】
また、取付リブ１１に形成された係止爪１２の後には、取付リブ１１の過大変形を防止する変形防止リブが形成されているため、吹出口カバー５の着脱を繰り返すことによる取付リブ１１の過大変形を防止することができる。
【図面の簡単な説明】
【００５１】
【図１】本考案の吹出口ユニットの一実施形態を示す分解斜視図である。
【図２】上記吹出口ユニットの斜視図である。
【図３】上記吹出口ユニットにおける吹出口カバーの取付け状態を示す一部破断側面図である。
【図４】上記吹出口カバーを示す図である。
【図５】上記吹出口ユニットの平面図である。
【図６】上記吹出口ユニットの断面図である。
【図７】上記吹出口ユニットの側面図である。
【図８】上記吹出口ユニット作用を示す図である。
【図９】従来例を示す図である。
【符号の説明】
【００５２】
１      吹出口ユニット
２      導入管
３      居室側開口
４      吹出開口
５      吹出口カバー
６      フランジ部
９      室外側開口
１０      凹部
１１      取付リブ
１２      係止爪
１３      ガイドリブ
１４      フィルタ
１５      位置決めリブ
１６      環状リブ
１７      カバー壁
２０      切欠部
２１      漏れ防止壁
２２      整流板
２３      突起
２５      軸
２６      シャッタ
２７      レバー
５０      天井ボード
５１      居室
５２      非居室
５３      アンダーカット
５４      吸込口
５５ａ      通気ダクト
５５ｂ      通気ダクト
１００      居室
１０１      非居室
１０２      アンダーカット
１０３      吸込口
１０４ａ      通気ダクト
１０４ｂ      通気ダクト
１０５      吹出口
【図１】
0003120278.tif 000003
【図２】
0003120278.tif 000004
【図３】
0003120278.tif 000005
【図４】
0003120278.tif 000006
【図５】
0003120278.tif 000007
【図６】
0003120278.tif 000008
【図７】
0003120278.tif 000009
【図８】
0003120278.tif 000010
【図９】
0003120278.tif 000011